(57)【要約】【課題】トップカバーに制振部材とガスケットを直接射出成形することによって、組立工程の係る作業労力等のコスト削減とリサイクル性に優れたカバーを有するディスク装置及びこれに用いるカバーを提供することにある。【解決手段】ディスクとヘッド及びボイスコイルモータを収納する筐体と、筐体を閉塞するカバーであって、筐体とカバーの隙間を密閉するようにカバーの筐体対向部に配置されるガスケットと、このカバーのボイスコイルモータ対向部に配置され、ボイスコイルモータに接触して振動を吸収する制振部材を有し、ガスケットと制振部材がカバーに直接接触するよう射出形成されたカバーを有するディスク装置及びこれに用いるカバー。【選択図】      図１
2004152425.tif 000002
【特許請求の範囲】
【請求項１】
ディスクからヘッドにより情報を再生するディスク装置において、
前記ヘッドを駆動するボイスコイルモータと、
前記ディスクとヘッド及びボイスコイルモータを収納する筐体と、
前記筐体を閉塞するカバーであって、前記筐体とカバーの隙間を密閉するように前記カバーの筐体対向部に配置されるガスケットと、前記カバーの前記ボイスコイルモータ対向部に配置され、前記ボイスコイルモータに接触して振動を吸収する制振部材を有し、前記ガスケットと制振部材は前記カバーに直接接触するよう射出形成されているカバーと
を有することを特徴とするカバーを有するディスク装置。
【請求項２】
前記制振部材はポリマー等のアクリル系樹脂からなる
ことを特徴とする請求項１記載のディスク装置。
【請求項３】
前記ガスケットと前記制振部材が同一材料からなる
ことを特徴とする請求項１記載のディスク装置。
【請求項４】
前記ガスケットと前記制振部材は異なる材料からなり、前記ガスケットと前記制振部材は２色成形方式により前記トップカバーに成形される
ことを特徴とする請求項１記載のディスク装置。
【請求項５】
ディスクからヘッドにより情報を再生するディスク装置において、
前記ヘッドを駆動するボイスコイルモータと、
前記ディスクとヘッド及びボイスコイルモータを収納する筐体と、
前記筐体を閉塞するカバーであって、前記筐体とカバーの隙間を密閉するように前記カバーの筐体対向部に配置されるガスケットと、前記カバーに発生する振動を吸収するために制振板と制振ポリマーとからなり前記カバーの外面に配置される制振部材を有し、前記ガスケットと制振ポリマーは前記カバーに直接接触するよう射出形成されているカバーと
を有することを特徴とするカバーを有するディスク装置。
【請求項６】
前記制振ポリマーは前記カバーと前記制振板との間に注入され、前記制振板の側面に回りこむ
ことを特徴とする請求項５記載のディスク装置。
【請求項７】
前記ガスケットと前記制振ポリマーが同一材料からなる
ことを特徴とする請求項５記載のディスク装置。
【請求項８】
前記ガスケットと前記制振ポリマーは異なる材料からなり、前記ガスケットと前記制振ポリマーは２色成形方式により前記トップカバーに成形される
ことを特徴とする請求項５記載のディスク装置。
【請求項９】
前記制振板は前記制振ポリマーを注入するための孔部を有する
ことを特徴とする請求項５記載のディスク装置。
【請求項１０】
ヘッドを駆動するボイスコイルモータを筐体内に収納し、当該筐体を閉塞するように固定されるカバーであって、
前記筐体とカバーの隙間を密閉するように前記カバーの筐体対向部に配置されるガスケットと、
前記カバーのボイスコイルモータ対向部に配置され、前記ボイスコイルモータに接触して振動を吸収する制振部材とからなり、
前記ガスケットと制振部材は前記カバーに直接接触するよう射出形成される
ことを特徴とするディスク装置に用いるカバー。
【請求項１１】
ヘッドを駆動するボイスコイルモータを筐体内に収納し、当該筐体を閉塞するように固定されるカバーであって、
前記筐体とカバーの隙間を密閉するように前記カバーの筐体対向部に配置されるガスケットと、
前記カバーに発生する振動を吸収するために制振板と制振ポリマーとからなり、前記カバーの前記ガスケット配置面と別の面に配置される制振部材とからなり、
前記ガスケットと制振ポリマーは前記カバーに直接接触するよう射出形成される
ことを特徴とするディスク装置に用いるカバー。
【発明の詳細な説明】
【０００１】
【発明の属する技術分野】
本発明は、ディスク装置のヘッド位置決め機構部に発生する振動を抑制するための制振部材が取り付けられたカバーを有するディスク装置及びこれに用いるカバーに関する。
【０００２】
【従来の技術】
情報記録再生装置のひとつである磁気ディスク装置、特にハードディスク装置（以下、ＨＤＤと称する）は、主にパーソナルコンピュータに使用されてきたが、最近では、その使用範囲が拡大し、オーディオビジュアル機器（ＡＶ機器）やカーナビゲーションなどの車載機器として使用されるようになってきた。ＨＤＤをＡＶ機器等の家庭用電気機器として使用する場合、装置が発生する振動等に起因する騒音の問題が注目されてきている。
【０００３】
ＨＤＤにおいては、特にヘッドをディスク上の目標トラックに移動する、いわゆるシーク動作時にヘッドアッセンブリとこれを駆動するボイスコイルモータ（以下、ＶＣＭと称する）から多くの騒音を発生することがあり、上述のような一般家庭製品にＨＤＤが利用される場合でも低騒音で高速なシークを実現する技術が重要になってきている。
【０００４】
ＨＤＤの低騒音化技術は、大きく以下の２つの方法が考えられている。一つは、ヘッドアッセンブリ（アクチュエータ）の機会共振を励起させないシーク制御技術である。このシーク制御技術においては、制御電流がヘッドアッセンブリ（アクチュエータ）の機械的共振周波数における成分を多く含まないようにしている。具体的には、ＳＭＡＲＴ（セルフ・モニタリング・アナライジング・レポート機能：ＨＤＤ自身による故障予知機能）制御入力といったジャーク（加加速度）を最小にする制御入力を用い方法や、シーク時のフィードフォワード制御入力のアクチュエータに加える周期をフィードバック制御周期よりも短くして滑らかな制御命令をアクチュエータに加えるといったものがある。
【０００５】
もう一つは、機構的な技術である。例えば、ヘッドアッセンブリ（アクチュエータ）の機械共振周波数をなるべく高くしてシーク時に励起されにくくする方法や、ＨＤＤのトップカバーがいわゆるスピーカと同じような状態となりヘッドアッセンブリ（アクチュエータ）のシーク時の騒音が外部に伝わることが無いように、トップカバーに制振板を付加する方法などがある。
【０００６】
上述のシーク制御技術については特開平３−１０２６８３号公報に先行技術として開示され、一般的に知られている。また、機構的な技術については、特開平１０−３３４６４１号に先行技術として開示されている。また、同先行技術文献にはトップカバーと装置筐体の間に装置筐体を密閉するためのガスケットはシールにより貼り付けられることが開示されている。
【０００７】
【特許文献１】
特開平３−１０２６８３号公報（第４−７頁、第１図）
【特許文献２】
特開平１０−３３４６４１号公報（第６頁、図１）
【０００８】
【発明が解決しようとする課題】
しかしながら、上述の先行技術では、より低騒音で高速なシークを実現することは以下の点で困難となってきている。
まず、高速なシークを実現するには、制御命令が高い周波数帯まで成分を持つ必要があり、ヘッドアッセンブリ（アクチュエータ）の機械共振の励起をさせることは非常に難しい。また、ヘッドアッセンブリ（アクチュエータ）の機械共振を今以上に高くすることは非常に難しくなってきている。更に、トップカバーに制振板を貼り付けるだけではトップカバーの振動モードに対して十分な振動抑制（ダンピング）を付加することは難しくなってきており、これらはガスケットと両面テープのような別々の部材になっているため、その組立て性が悪く、作業労力等コストが高くなってしまう。また、両面テープなどでガスケットを固定する場合、粘着力が強く、一旦貼り付けた後で剥がし難い。
【０００９】
このガスケットに不具合等が発生しこれらを修理することが求められた場合、ガスケットを両面テープで貼ったものは、化学溶剤等を用いたトップカバーの洗浄時にはがれる可能性も有り、ガスケットのみの交換ができず、トップカバーを含めた交換が必要となり、トップカバーをリサイクルすることができずコストがかかるという問題がでてきている。
【００１０】
そこで、本発明の目的は、上記問題を解決するためになされるもので、トップカバーに制振ポリマー、制振ゴム、シールゴムを直接射出成形することによって、上述の組立工程の係る作業労力等のコスト削減とリサイクル性に優れたカバーを有するディスク装置及びこれに用いるカバーを提供することを目的とする。
【００１１】
【課題を解決するための手段】
上記目的を達成するため、本発明に係るディスク装置は、ディスクからヘッドにより情報を再生するディスク装置において、前記ヘッドを駆動するボイスコイルモータと、前記ディスクとヘッド及びボイスコイルモータを収納する筐体と、前記筐体を閉塞するカバーであって、前記筐体とカバーの隙間を密閉するように前記カバーの筐体対向部に配置されるガスケットと、前記カバーの前記ボイスコイルモータ対向部に配置され、前記ボイスコイルモータに接触して振動を吸収する制振部材を有し、前記ガスケットと制振部材は前記カバーに直接接触するよう射出形成されているカバーとを有することを特徴とするものである。
【００１２】
また、本発明に係るディスク装置に用いられるカバーは、ヘッドを駆動するボイスコイルモータを筐体内に収納し、当該筐体を閉塞するように固定されるカバーであって、前記筐体とカバーの隙間を密閉するように前記カバーの筐体対向部に配置されるガスケットと、前記カバーのボイスコイルモータ対向部に配置され、前記ボイスコイルモータに接触して振動を吸収する制振部材とからなり、前記ガスケットと制振部材は前記カバーに直接接触するよう射出形成されることを特徴とするものである。
【００１３】
このように、ボイスコイルモータの振動を抑える制振部材とディスク装置筐体を密閉するためのガスケットとを射出形成により直接接触するようにカバーに形成することで、ディスク装置筐体にガスケット、制振部材を取り付ける際の作業労力等のコストを削減することが可能となると共に、ガスケット乃至振動部材を交換する際に必要な化学溶剤等を用いたカバーの洗浄時に、ガスケット及び振動部材が剥がれることがなくなり、ガスケットのみの交換によってカバー部材をリサイクルことが可能なディスク装置及びこれに用いるカバーを提供することが可能となる。
【００１４】
また、本発明に係るディスク装置は、ディスクからヘッドにより情報を再生するディスク装置において、前記ヘッドを駆動するボイスコイルモータと、前記ディスクとヘッド及びボイスコイルモータを収納する筐体と、前記筐体を閉塞するカバーであって、前記筐体とカバーの隙間を密閉するように前記カバーの筐体対向部に配置されるガスケットと、前記カバーに発生する振動を吸収するために制振板と制振ポリマーとからなり前記カバーの外面に配置される制振部材を有し、前記ガスケットと制振ポリマーは前記カバーに直接接触するよう射出形成されているカバーとを有することを特徴とするものである。
【００１５】
また、本発明に係るディスク装置に用いられるカバーは、ヘッドを駆動するボイスコイルモータを筐体内に収納し、当該筐体を閉塞するように固定されるカバーであって、前記筐体とカバーの隙間を密閉するように前記カバーの筐体対向部に配置されるガスケットと、前記カバーに発生する振動を吸収するために制振板と制振ポリマーとからなり、前記カバーの前記ガスケット配置面と別の面に配置される制振部材とからなり、前記ガスケットと制振ポリマーは前記カバーに直接接触するよう射出形成されることを特徴とするものである。
【００１６】
このように、カバーに発生する振動を抑える制振部材を金属プレートからなる制振板とこの制振板とカバーとの間に設ける制振ポリマーとで構成し、ディスク装置筐体を密閉するためのガスケットと制振ポリマーを射出形成により直接接触するようにカバーに形成することで、ディスク装置筐体にガスケット、制振ポリマー及び制振板を取り付ける際の作業労力等のコストを削減することが可能となると共に、ガスケット乃至振動部材を交換する際に必要な化学溶剤等を用いたカバーの洗浄時に、ガスケット及び振動部材が剥がれることがなくなり、ガスケット或いは制振部材のみの交換によってカバー部材をリサイクルことが可能なディスク装置及びこれに用いるカバーを提供することが可能となる。
【００１７】
【発明の実施の形態】
以下、図面を参照しながら、この発明をディスク装置として磁気ディスク装置であるハードディスクドライブに適用した実施の形態について詳細に説明する。図１に示すように、磁気ディスク装置は、上面の開口した矩形箱状の筐体であるケース１と、複数のネジ２によりケース１にネジ止めされケース１の上端開口を閉塞するトップカバー３とを有している。このトップカバー３はアルミニウムまたはステンレスなどの金属の薄い板で形成されている。
【００１８】
このトップカバー３には、ケース１との対向面である内面の縁近傍領域に、ポリマー樹脂製のガスケット１３が射出成形によって直接トップカバー３内面に接触するように形成されており、トップカバー１とガスケット１３はシールなどの接着部材を介して接着されるものではない。ガスケット１３がトップカバー３でケース１を閉塞する際に両者の間に位置し、ディスク装置の密閉状態を確保するようになっている。
【００１９】
また、トップカバー３には、同じくケース１との対向面である内面のボイスコイルモータ（ＶＣＭ）８に対向する領域に制振部材１４が配置されている。制振部材１４はポリマー樹脂材料からなり、トップカバー３にてケース１を閉塞する際、この制振部材１４がボイスコイルモータ（ＶＣＭ）８に接触するように固定されるため、ボイスコイルモータ（ＶＣＭ）８に発生する振動をこの制振部材１４により吸収することが可能となる。
【００２０】
更に、トップカバー３には、ケース１との対向面と反対の面、すなわち外面に制振板１６と制振ポリマー１７からなるカバー制振部材１８が設けられている。詳細は後述するが、カバー制振部材１８の最も外側部分を形成する制振板１６とトップカバー３との間に制振ポリマー１７を注入するための孔部１９を設けている。このカバー制振部材１８により、トップカバー３に発生する振動を押させることが可能となる。
【００２１】
なお、上述のトップカバー３については、図２、図３のカバー図面を用いて後に詳細を説明する。
ケース１内には、磁気記録媒体としての２枚の磁気ディスク４、この磁気ディスク４を支持および回転させる駆動手段としてのスピンドルモータ（ＳＰＭ）５、磁気ディスクに対して情報の書き込み、読み出しを行なう複数の磁気ヘッド６、これらの磁気ヘッド６を磁気ディスク４に対して移動自在に支持したヘッドアクチュエータ７、ヘッドアクチュエータ７を回動および位置決めするボイスコイルモータ（ＶＣＭ）８、磁気ヘッド６が磁気ディスク４の最外周に移動した際、磁気ヘッド６を磁気ディスク４から離間した退避位置に保持するランプ９、衝撃等に対してヘッドアクチュエータ７を退避位置にラッチする図示しないイナーシャラッチ機構、およびヘッドＩＣ１０等を有する基板ユニット１１が収納されている。また、この基板ユニット１１とヘッドアクチュエータ７の先端に搭載された磁気ヘッド６とはフレキシブル配線１２により電気的に接続され、信号のやり取りを行っている。
【００２２】
ヘッドアクチュエータ７は、磁気ヘッド６を支持し、当該磁気ヘッド６を磁気ディスク４の方向に押し付ける力を発生するバネ性を有するサスペンション７ａ、このサスペンション７ａを支持する剛性の高いアーム７ｂ、サスペンション７ａの先端から突出し、ランプ９と接触摺動する接触部７ｃとを有している。
【００２３】
また、ケース１の底壁外面には、磁気ヘッド６により再生した信号を増幅するアンプ等を含むヘッドＩＣ１０を搭載した基板ユニット１１を介してスピンドルモータ（ＳＰＭ）５、ボイスコイルモータ（ＶＣＭ）８、および磁気ヘッド６の動作を制御する図示しないプリント回路基板がネジ止めされている。
【００２４】
各磁気ディスク４は、直径６５ｍｍ（２．５インチ）に形成され、上面および下面に磁気記録層を有している。そして、２枚の磁気ディスク２は、スピンドルモータ（ＳＰＭ）５の図示しないハブの外周に嵌合されているとともに、クランプばね５ａによって固定保持されている。これにより、２枚の磁気ディスク４は間に挿入されるスペーサリングを介して所定の隙間を置いて互いに同軸的に積層配置されている。そして、スピンドルモータ（ＳＰＭ）５を駆動することにより、２枚の磁気ディスク４は一体的に所定の速度で回転される。
【００２５】
本発明は、ケース１を閉塞するトップカバー３に特徴を有すものであり、以下にその特徴的構造を説明する。
次に本発明の実施形態に係るトップカバー３について図２、図３を用いて詳細に説明する。
図２は本実施形態に係るトップカバー３をケース１に対向する面（以下、ケース対向面と称する）から見た正面図である。すなわち、図２は本実施形態に係るトップカバー３の内面の構造を示している。
【００２６】
図２（ａ）は本発明の同実施形態に係るトップカバー３のケース対向面から見た正面図であり、更に図中のＣ−Ｃによる一点差線で切断した断面図を図２（ｂ）に示している。
【００２７】
図２において、３が磁気ディスク装置内部を覆うトップカバーで、カバー部材本体がアルミニウム或いはステンレス等の金属材料を用い薄板状に加工（プレス等で）されている。カバー部材の端部はケース１に対向して取り付けられる部分に、ケース１と共同して磁気ディスク装置内を密閉状態に保つシール機能を有するガスケット１３が形成されている。
【００２８】
また、トップカバー３のカバー部材には、ケース１との対向面である内面のボイスコイルモータ（ＶＣＭ）８に対向する領域に制振部材１４が配置されている。制振部材１４はポリマー樹脂材料からなり、トップカバー３にてケース１を閉塞する際、この制振部材１４がボイスコイルモータ（ＶＣＭ）８に接触するように固定されるため、ボイスコイルモータ（ＶＣＭ）８に発生する振動をこの制振部材１４により吸収することが可能となる。
【００２９】
本発明の実施形態に係るガスケット１３と、制振部材１４は、トップカバー３のケース１との対向面である内面の縁近傍領域及び、ボイスコイルモータ（ＶＣＭ）８に対向する領域に、ポリマー樹脂製材料を射出成形によって直接接触するように形成される。すなわち、トップカバー３とガスケット１３、及び、トップカバー３と制振部材１４はシールなどの接着部材を介して接着されていない。
【００３０】
すなわち、ガスケット１３と制振部材１４は、製造時にそれぞれ別の工程で接着剤等を間に介してカバー本体に取り付けられるのではなく、射出形成という１つの工程作業により、いわゆる同時にカバー本体に形成されるものである。
【００３１】
このように、本実施形態に係るトップカバー３は、ボイスコイルモータ８の振動を抑える制振部材１４とディスク装置筐体を密閉するためのガスケット１３とを射出形成により直接接触するようにカバー本体に形成することで、ディスク装置筐体であるケース１にガスケット１３、制振部材１４を取り付ける際の作業労力等のコストを削減することが可能となると共に、ガスケット１３乃至振動部材１４を交換する際に必要な化学溶剤等を用いたカバーの洗浄時に、ガスケット１３及び振動部材１４が剥がれることがなくなり、ガスケット１３のみの交換によってカバー本体をリサイクルことが可能となる。
【００３２】
次に、図３は本実施形態に係るトップカバー３をケース１に対向する面と反対の面である外面（以下、ケース外面と称する）から見た正面図である。すなわち、図３は本実施形態に係るトップカバー３の外面の構造を示している。
【００３３】
図３（ａ）は本発明の同実施形態に係るトップカバー３のケース外面から見た正面図であり、更に図中のＤ−Ｄによる一点差線で切断した断面図を図３（ｂ）に示している。
【００３４】
図３において、３が磁気ディスク装置内部を覆うトップカバーで、カバー部材本体がアルミニウム或いはステンレス等の金属材料を用い薄板状に加工（プレス等で）されている。図２でも説明したようにカバー部材の内面であるケース対向面の端部にはケース１と共同して磁気ディスク装置内を密閉状態に保つシール機能を有するガスケット１３が形成されているが、図３からは直接見ることができない。
【００３５】
また、トップカバー３のカバー部材には、ケース１との対向面と反対の面、すなわち外面に、黄鋼と亜鉛の合金又はアルミニウム又はステンレスなどの金属により、厚さが約０．２ｍｍの制振板１６と、この制振板１６とトップカバー３の間に約０．１ｍｍの厚さをもって射出形成により注入された制振ポリマー１７からなるカバー制振部材１８が設けられている。
【００３６】
この制振板１６にはこの制振板１６とトップカバー３との間に制振ポリマー１７を注入するための孔部１９を設けている。制振ポリマー１７は、この孔部１９から射出成形により注入されるが、図３（ｂ）に示すように制振板１６の側面に回りこむように注入されることで、制振板１６とトップカバー３の接続を強固にし、トップカバー３に発生する振動を抑制する構造となっている。
【００３７】
本発明の実施形態に係るガスケット１３と、カバー制振部材１８の制振ポリマー１７は、トップカバー３のケース１との対向面と反対面である外面のちょうど磁気ディスク４に対向する領域に、ポリマー樹脂製材料を射出成形によって直接接触するように形成される。すなわち、トップカバー３とガスケット１３、及び、トップカバー３とカバー制振部材１８の制振ポリマー１７はシールなどの接着部材を介して接着されていない。
【００３８】
すなわち、ガスケット１３とカバー制振部材１８は、製造時にそれぞれ別の工程で接着剤等を間に介してカバー本体に取り付けられるのではなく、射出形成という１つの工程作業により、いわゆる同時にカバー本体に形成されるものである。
【００３９】
このように、本実施形態に係るトップカバー３は、カバーに発生する振動を抑える金属プレートからなる制振板１６をトップカバー３に固定する機能を兼ねた制振ポリマー１７とを射出形成により直接接触するようにトップカバー３に形成することで、ディスク装置筐体にガスケット１３、制振ポリマー１７及び制振板１６を取り付ける際の作業労力等のコストを削減することが可能となると共に、ガスケット１３乃至カバー制振部材１８を交換する際に必要な化学溶剤等を用いたカバーの洗浄時に、ガスケット１３及び制振部材１８が剥がれることがなくなり、ガスケット１３或いは制振部材１８のみの交換によってカバー部材をリサイクルことが可能となる。
【００４０】
【発明の効果】
以上詳述したように本発明によれば、トップカバーとボイスコイルモータ（ＶＣＭ）の制振部材あるいは、カバー制振部材の制振ポリマー、制振ゴム、シールゴムをガスケットと同様に直接トップカバーに射出成形することによって、組立工程の係る作業労力等のコスト削減とリサイクル性に優れたカバーを有するディスク装置及びこれに用いるカバーを提供することが可能となる。
【図面の簡単な説明】
【図１】本発明の実施形態に係る磁気ディスク装置の構造を説明する分解斜視図。
【図２】本発明の実施形態に係る磁気ディスク装置のトップカバーをケースに対向する面から見た正面図。
【図３】本発明の実施形態に係る磁気ディスク装置のトップカバーをケースに対向する面と反対の面である外面から見た正面図。
【符号の説明】
１………ケース
２………ネジ
３………トップカバー
４………磁気ディスク
５………スピンドルモータ（ＳＰＭ）
５ａ……クランパ
６………磁気ヘッド
７………ヘッドアクチュエータ
７ａ……サスペンション
７ｂ……アーム
７ｃ……接触部
８………ボイスコイルモータ（ＶＣＭ）
９………ランプ
１０……ヘッドＩＣ
１１……基板ユニット
１２……フレキシブル配線
１３……ガスケット
１４……（ＶＣＭ）制振部材
１６……制振板
１７……制振ポリマー
１８……カバー制振部材
１９……孔部
【図１】
2004152425.tif 000003
【図２】
2004152425.tif 000004
【図３】
2004152425.tif 000005